(57)【要約】【課題】安価でかつ光演出効果の高い光装飾部品を備えた遊技機を得る。【解決手段】遊技機は、光透過性を有した板に当該板を貫通する光透過孔２３が形成された前側装飾板２１と、前側装飾板２１の後方に配置されて光透過孔２３を覆うように設けられた光透過性を有した色意匠板３と、色意匠板３の後方に配置された光源（ＬＥＤ５０）とを備え、光源からの光が色意匠板３及び前側装飾板２１を通して前側装飾板２１の前方に透過するとともに色意匠板３及び光透過孔２３を通して前側装飾板２１の前方に透過するように構成された光装飾部品を備えた。【選択図】図２
2014087419.tif 000002
【特許請求の範囲】
【請求項１】
光透過性を有した板に当該板を貫通する光透過孔が形成された前側装飾板と、前記前側装飾板の後方に配置されて前記光透過孔を覆うように設けられた光透過性を有した色意匠板と、前記色意匠板の後方に配置された光源とを備え、前記光源からの光が前記色意匠板及び前記前側装飾板を通して前記前側装飾板の前方に透過するとともに前記色意匠板及び前記光透過孔を通して前記前側装飾板の前方に透過するように構成された光装飾部品を備えたことを特徴とする遊技機。
【請求項２】
前記前側装飾板の光透過率と前記色意匠板の光透過率とが異なることを特徴とする請求項１に記載の遊技機。
【請求項３】
前記色意匠板の後方でかつ前記光源の前方に光拡散板を備えたことを特徴とする請求項１又は請求項２に記載の遊技機。
【請求項４】
前記色意匠板の前記光透過孔を塞ぐ部分の色が複数色に色分けされていることを特徴とする請求項１乃至請求項３のいずれか一項に記載の遊技機。
【発明の詳細な説明】
【技術分野】
【０００１】
本発明は、光装飾部品を備えた遊技機に関する。
【背景技術】
【０００２】
遊技機に取付けられる光装飾部品として、光透過性を有した前装飾板と前装飾板の後方に設けられた光源とを備え、光源からの光を前装飾板を通して遊技者に見せるようにした光装飾部品が知られている（特許文献１乃至３等参照）。
【先行技術文献】
【特許文献】
【０００３】
【特許文献１】特開２００５−１０２７７９号公報
【特許文献２】特開２００８−１０４５７３号公報
【特許文献３】特開２０１１−３０８５６号公報
【発明の概要】
【発明が解決しようとする課題】
【０００４】
上述した従来の光装飾部品によれば、装飾効果の高い光演出を実現するため、前装飾板の形状を複雑な形状とする必要がある。例えば、前装飾板の前面を複雑な凹凸形状に形成したり、前装飾板の前面に複数の別部材を設けて前面を複雑な形状にしたり色分けしたりする必要があり、光装飾部品がコスト高となるといった課題があった。
本発明は、安価でかつ光演出効果の高い光装飾部品を備えた遊技機を得ることを目的とする。
【課題を解決するための手段】
【０００５】
本発明に係る遊技機は、光透過性を有した板に当該板を貫通する光透過孔が形成された前側装飾板と、前記前側装飾板の後方に配置されて前記光透過孔を覆うように設けられた光透過性を有した色意匠板と、前記色意匠板の後方に配置された光源とを備え、前記光源からの光が前記色意匠板及び前記前側装飾板を通して前記前側装飾板の前方に透過するとともに前記色意匠板及び前記光透過孔を通して前記前側装飾板の前方に透過するように構成された光装飾部品を備えた。
また、他の構成として、前記前側装飾板の光透過率と前記色意匠板の光透過率とが異なるように構成した。
また、他の構成として、前記色意匠板の後方でかつ前記光源の前方に光拡散板を備えた。
また、他の構成として前記色意匠板の前記光透過孔を塞ぐ部分の色が複数色に色分けされているように構成した。
尚、上記発明の概要は、本発明の必要な特徴の全てを列挙したものではなく、特徴群を構成する個々の構成もまた発明となり得る。
【発明の効果】
【０００６】
本発明に係る遊技機によれば、安価でかつ光演出効果の高い遊技機を得ることができる。
【図面の簡単な説明】
【０００７】
【図１】光装飾部品を示す正面図。
【図２】光装飾部品を分解して前側から見た斜視図。
【図３】光装飾部品を分解して後側から見た斜視図。
【図４】パチンコ機の斜視図。
【図５】遊技盤の盤面を遊技盤の前側から見た図。
【図６】パチンコ機の制御系統を示すブロック構成図。
【発明を実施するための形態】
【０００８】
以下、図１〜図６を参照し、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【０００９】
図１に示すように、パチンコ機やスロットマシン等の遊技機に取付けられて光演出を実現する実施形態の光装飾部品１は、図２;図３に示すように、前装飾体２と、色意匠板３と、光拡散手段４と、光源の一例としてのＬＥＤ５０が複数実装された基板５とを備える。
【００１０】
前装飾体２は、光透過性を有した例えば合成樹脂により形成され、前側装飾板２１と、前側装飾板２１の周縁より後方に延長する周壁部２２と、前側装飾板２１の裏面２６と周壁部２２の内周面とで囲まれて形成された凹部２４とを備え、当該凹部２４内に、色意匠板３、光拡散手段４、ＬＥＤ５０が収容設置される。
【００１１】
前側装飾板２１は、当該前側装飾板２１の後方に配置されるＬＥＤ５０からの光を当該前側装飾板２１の前方に透過させるための複数の光透過孔２３；２３…が形成された板材により形成される。即ち、光透過孔２３は板材を前後に貫通する貫通孔により形成され、複数の光透過孔２３；２３…は個々に独立した貫通孔により形成される。
前側装飾板２１は、板材の前面が任意の形状の立体意匠部２５に形成されるとともに、板材の裏面２６が色意匠板３の後述する面状の色意匠部と接触可能な平面に形成された構成であり、かつ、この裏面２６より後方に突出する位置決め突起２７（図３参照）を備える。前側装飾板２１の外周縁は立体意匠部２５の外郭を形成する任意の外形形状に形成される。光透過孔２３の孔縁が、光透過孔２３の孔の形状により形成される孔意匠の外形形状及び立体意匠部２５の孔意匠周縁部の意匠を構成する。
【００１２】
立体意匠部２５は、光透過部２８と非光透過部２９とを備える。非光透過部２９は、立体意匠部２５の一部の前面に例えば光遮蔽材が塗布されて形成される。光透過部２８、及び、非光透過部２９は、それぞれ、光透過孔２３の孔縁の少なくとも一部を形成するように設けられる。尚、図１において、光透過部２８と非光透過部２９との区別を分かり易くするため、非光透過部２９の領域には斜線を付けて図示した。
非光透過部２９は複数設けられ、複数の非光透過部２９は互いに連続しないように分離して設けられる。光透過部２８は複数設けられ、複数の光透過部２８は、互いに連続しないように分離して設けられたり、あるいは、互いに連続するように設けられる。例えば、互いに分離された非光透過部２９と非光透過部２９とが光透過部２８を介して繋がっている立体意匠部２５が形成される。また、光透過部２８と非光透過部２９との境界部２８９は谷状に形成される。
そして、光透過部２８、及び、非光透過部２９の前面形状は、例えば、光透過部２８と非光透過部２９との境界部２８９、前側装飾板２１の前面の外周縁、光透過孔２３の孔縁から、それぞれ前方に隆起するように延長する面の前端同士が繋がって峰２９８を形成する山状の立体形状に形成される。
【００１３】
複数の光透過部２８；２８…及び複数の非光透過部２９；２９…による立体意匠部２５と複数の光透過孔２３；２３…による孔意匠部とが組み合わされて前側装飾板２１の前面意匠部が構成される。
【００１４】
色意匠板３は、外形形状が前装飾体２の凹部２４の底（裏面２６）の周形状に対応した形状となるよう裁断された例えば１ｍｍ以下の厚さの光透過性を有した合成樹脂製の透明シート（薄板）３１と、透明シート３１の一方のシート面に形成された色意匠部３２とを備えた構成である。
色意匠部３２は、透明シート３１の一方のシート面に複数の色が着色されて形成される。色意匠部３２は、例えば、透明シート３１と同形状に形成された例えば１ｍｍ以下の厚さの着色フィルム（薄膜）を透明シート３１の一方のシート面に貼り付けることにより、透明シート３１の一方のシート面に形成される。
色意匠板３は、互いに対応する色意匠板３の外周縁と前装飾体２の凹部２４の内周壁面とを対向させて色意匠板３の色意匠部３２と前側装飾板２１の裏面２６とが互いに向かい合う状態となるように凹部２４内に設置される。即ち、色意匠板３は、前側装飾板２１の後方に配置されて複数の光透過孔２３；２３…を覆うように設けられる。
色意匠板３の光透過率は、前側装飾板２１の光透過率と異なるように構成される。
【００１５】
光拡散手段４は、光拡散板４１と、光拡散板４１の外周縁より後方に延長する周壁部４２と、光拡散板４１の裏面４３と周壁部４２の内周面とで囲まれて形成された凹部４４とを備え、当該凹部４４内に、ＬＥＤ５０が配置される。
光拡散板４１は、外形形状が、前装飾体２の凹部２４の内周に沿った形状に形成される。そして、色意匠板３が凹部２４内に設置された状態で、光拡散板４１の外周縁と凹部２４の内周壁面とが対応して光拡散板４１の前面と前側装飾板２１の裏面２６とが色意匠板３挟んで向かい合うように光拡散手段４が凹部２４内に設置される。よって、色意匠板３が光拡散板４１の前面で押されて色意匠板３の前面に形成された色意匠部３２が前側装飾板２１の裏面２６に押し付けられた状態に設置されることになる。即ち、光装飾部品１は、色意匠板３の後方でかつＬＥＤ５０の前方に光拡散板４１を備えた構成となる。
【００１６】
光拡散板４１の前面には、複数の曲線状の溝部が互いに隣り合うように平行に設けられた並列溝模様部４６が形成される（図２参照）。
光拡散板４１の裏面には、複数の同心円形状の溝部を備えた渦巻溝模様部４７が形成される（図３参照）。
並列溝模様部４６、及び、渦巻溝模様部４７は、それぞれ複数個形成されている。
【００１７】
例えば、図１に示すように、前側装飾板２１の光透過孔２３、光透過部２８、非光透過部２９がそれぞれ炎を形どった外形形状に形成されて、光透過部２８が赤色透明樹脂により形成され、非光透過部２９は前面に灰色の光遮断部が設けられており、色意匠板３の色意匠部３２が炎を表現するために、オレンジ色意匠部３３と赤色意匠部３４と黒色意匠部３５とが色分けされて形成されていて、炎を表現する光演出を行えるようにした光装飾部品１の場合について説明する。
この場合、色意匠板３が凹部２４内に設置された状態において、光透過孔２３を裏側から塞ぐ色意匠板３の色意匠部３２は、オレンジ色意匠部３３のオレンジ色、赤色意匠部３４の赤色、黒色意匠部３５の黒色が対応するように構成される。このように構成されると、ＬＥＤ５０の光が、光拡散板４１、オレンジ色、赤色、黒色で彩られた３色の色意匠部３２を透過して遊技者に見えることによって、色意匠板３を透過する光が本物の炎に近い光のように見え、臨場感に溢れた炎を表現する光演出が可能となる。この場合、黒色意匠部３５を透過する光により、炎をよりリアルに表現することが可能となる。尚、炎をリアルに表現する場合においては、光透過孔２３を裏側から塞ぐ色意匠板３の色意匠部３２は、少なくとも、オレンジ色意匠部３３のオレンジ色、赤色意匠部３４の赤色が対応するように構成されていればよい。
さらに、色意匠板３が凹部２４内に設置された状態において、光透過孔２３及び当該光透過孔２３を裏側から塞ぐ色意匠部３２の後方には、光拡散板４１の前面に設けられた並列溝模様部４６が位置されるように光拡散板４１が設けられ、並列溝模様部４６の複数の溝が光透過孔２３の孔縁に沿って延長するように構成される。このように構成されると、後述する光源制御部２３０がＬＥＤ５０を点灯させることで、ＬＥＤ５０の光が、渦巻溝模様部４７によって渦巻溝模様部４７の周囲に拡散し、さらに、並列溝模様部４６に沿って拡散し、当該光透過孔２３を裏側から塞ぐ色意匠部３２を透過して光透過孔２３の前方に拡散するので、色意匠板３を透過する光により炎が揺らいでいるような特殊な視覚効果を与えることができる。
【００１８】
例えば、色意匠板３、光拡散板４１、基板５には、前側装飾板２１の裏面２６より後方に突出する位置決め突起２７を貫通させる貫通孔２７ｘが形成され、色意匠板３、光拡散板４１、基板５の貫通孔を順番に貫通した位置決め突起２７の後端に図外の止ねじを締結することで、色意匠板３、光拡散板４１、基板５が前装飾体２に取付けられ、光源からの光が光拡散板４１、色意匠板３、前側装飾板２１を通して前側装飾板２１の前方に透過するとともに光拡散板４１、色意匠板３、光透過孔２３を通して前側装飾板２１の前方に透過するように形成された光装飾部品１が構成される。そして、前側装飾板の光透過率と色意匠板の光透過率とが異なるので、光拡散板４１、色意匠板３、前側装飾板２１を通して前側装飾板２１の前方に透過する光による光演出と、光拡散板４１、色意匠板３、光透過孔２３を通して前側装飾板２１の前方に透過する光による光演出とに違いを出すことが可能となり、異なる光演出による対比を表現できる光装飾部品１を得ることができる。
尚、光装飾部品１は、図外の止ねじ、嵌合手段等によって、パチンコ機やスロットマシン等の遊技機に取付けられて光演出を実現する。
【００１９】
上述した光装飾部品１が取付けられる遊技機の一例としてのパチンコ機１Ａについて説明する。尚、以下の説明において遊技機の一例としてのパチンコ機の各部の左右方向は、そのパチンコ機に対面する遊技者にとっての左右方向に一致させて説明する。
パチンコ機１Ａは、遊技場の島設備に設置される縦長方形状の機枠２Ａと、この機枠２Ａに開き戸状に開閉自在に取付けられた本体枠３Ａと、当該本体枠３Ａの内側に装着された遊技盤３０Ａと、本体枠３Ａの前面に開き戸状に開閉自在に取付けられ、中央に大きく窓４ａが設けられたパネル扉４Ａと、パネル扉４Ａの下側において本体枠３Ａの前面に開き戸状に開閉自在に取付けられ、遊技球（所謂「パチンコ球」、以下単に「球」という）を収容する受皿５Ａを有する前面ボード６Ａと、本体枠３Ａの下部に配設された発射装置７Ｂ（図６参照）と、前面ボード６Ａに取付けられた発射操作ハンドル７Ａと、パネル扉４Ａの左右の上部にそれぞれ設けられたスピーカ８Ａと、遊技者が操作可能なように受皿５Ａの例えば前縁に設けられた操作部９Ａと、光源とを備える。当該光源は、パネル扉４Ａの周囲に配設されたランプ１０Ａ、上述した光装飾部品１のＬＥＤ５０等である。機枠２Ａと本体枠３Ａとパネル扉４Ａと前面ボード６Ａとで遊技機枠が構成される。
【００２０】
パチンコ機１の背面側には、制御装置９９が設けられている。制御装置９９としては、図６に示すように、主制御装置１００と、副制御装置を構成する演出制御装置２００と、払出制御装置３００とを備える。主制御装置１００、演出制御装置２００、払出制御装置３００は何れもＣＰＵと、コンピュータプログラム及び遊技処理，演出処理，払出処理に必要なデータを格納したＲＯＭと、ＣＰＵがＲＯＭに格納されたコンピュータプログラムに従って処理を行うための一時記憶領域であるＲＡＭとを備えるマイクロコンピュータである。尚、主制御装置１００、演出制御装置２００及び払出制御装置３００の各制御装置は、図外の電源供給装置からの電力供給により駆動し、供給された電力は出力側に接続された各機器に供給される。
【００２１】
主制御装置１００は、パチンコ機１Ａの全体を統括して制御する。演出制御装置２００は、上述したスピーカ８Ａ、ランプ１０Ａ、後述する遊技盤３０Ａの遊技領域１１Ａの略中央部に配設される演出表示装置５０Ａ、遊技盤３０Ａに設けられた光装飾部品１のＬＥＤ５０等の演出部品を制御して、音演出、演出表示装置５０Ａの表示画面５１Ａに画像を表示する画像演出、光装飾部品１のＬＥＤ５０等の光源による光演出を制御する。払出制御装置３００は、図６に示すように、賞球払出装置３０１を制御するとともに、発射操作ハンドル７Ａの操作に基づく発射ボリューム（可変抵抗器）７Ｃからの信号を入力して発射装置７Ｂの発射力を制御する。
【００２２】
受皿５Ａに収容された球は、発射装置７Ｂに１個ずつ供給される。そして、図６に示すように、払出制御装置３００は、発射操作ハンドル７Ａの回転操作量に対応して増減する発射ボリューム７Ｃからの入力に基づいて所定の発射力で球が発射装置７Ｂから発射されるように図外の発射モーターを駆動制御するとともに、払出計数スイッチ３０２からの信号を入力して賞球払出装置３０１を制御する。また、払出制御装置３００は、発射操作ハンドル７Ａの周面上に設けられた発射停止スイッチ７Ｄや発射操作ハンドル７Ａの内部に配設されたタッチセンサ７Ｅからの信号を入力して、発射停止及び発射開始を制御する。
【００２３】
図５に示すように、遊技盤３０Ａは、例えば矩形平板により形成された遊技基板３６Ａの前面となる盤面３７Ａに、ガイドレール３８Ａ、球規制レール３９Ａ、第１特別図柄表示装置４０Ａ、第２特別図柄表示装置４０Ｂ、普通図柄表示装置４１Ａ、第１始動入賞口（始動口）６１Ａ、第２始動入賞口（始動口）６２Ａ、大入賞口６５Ａ、通過ゲート６６Ａ、複数の一般入賞口６７Ａ、アウト口６８Ａ、複数の遊技釘７５Ａ（図５では、遊技釘７５Ａを１本のみ図示して残りは図示を省略している）及び風車７６Ａ、センター飾り枠８０Ａ等の遊技部品を備えた構成である。
第１始動入賞口６１Ａ、第２始動入賞口６２Ａ、大入賞口６５Ａ、通過ゲート６６Ａ、一般入賞口６７Ａのそれぞれには、球の通過を検出する第１始動入賞口検出センサ９１、第２始動入賞口検出センサ９２、第１大入賞口検出センサ９３、通過ゲート検出センサ９６、一般入賞口検出センサ９５、が内蔵されている。これらの検出センサ９１；９２；９３；９５；９６は、例えば球の通過に伴い球検出信号（電気信号）を出力する磁気センサであり、その球検出信号は主制御装置１００に入力される（図６参照）。
【００２４】
図５に示すように、遊技基板３６Ａの盤面３７Ａの周縁部にガイドレール３８Ａと球規制レール３９Ａとが設けられ、これらガイドレール３８Ａと球規制レール３９Ａとによって盤面３７Ａの領域が盤面３７Ａの中央部を中心とする略円形状に囲まれて区画された遊技領域１１Ａが形成されている。当該遊技領域１１Ａ内の盤面３７Ａに、上述した遊技部品が設けられる。
【００２５】
センター飾り枠８０Ａは、遊技基板３６Ａを貫通するように盤面３７Ａのほぼ中央に設けられた開口３４Ａの周囲を取り囲んで盤面３７Ａより前方に突出する枠体である。センター飾り枠８０Ａは枠の外側に張り出すように設けられた取付フランジ８５Ａを備え、取付フランジ８５Ａが盤面３７Ａにねじ等で固定されることにより盤面３７Ａに取付けられる。センター飾り枠８０Ａは、下部枠にステージ部８１Ａを備えるとともに、左枠部にステージ部８１Ａへの球の導入路８２Ａを備える。
【００２６】
演出表示装置５０Ａは遊技盤３０Ａの開口３４Ａの後方に設けられ、遊技盤３０Ａの前方から遊技者が遊技盤３０Ａの開口３４を介して演出表示装置５０Ａの表示画面５１Ａを目視可能となっている。
【００２７】
センター飾り枠８０Ａの前面と窓４ａとの間の隙間寸法は、一個の球の直径よりも小さい寸法に形成されている。従って、センター飾り枠８０Ａの周囲の遊技領域１１Ａを流下する球は、導入路８２Ａ以外からはセンター飾り枠８０Ａの内側に導かれることはない。また、ステージ部８１Ａに入り込んだ球はステージ部８１Ａの庇部８１ｃよりも上方に移動することはなく、ステージ部８１Ａの下方の遊技領域１１Ａに落下する。即ち、遊技領域１１Ａを流下する球が遊技盤３０Ａの開口３４Ａの内側に入り込むことはない。
【００２８】
第１始動入賞口６１Ａは、遊技領域１１Ａの略中央部において、ステージ部８１Ａの下部に開設された遊技球導出口５２Ａの直下に配設された入賞部品（始動入賞部品）である。第２始動入賞口６２Ａは、遊技領域１１Ａの右側部に配設された入賞部品（始動入賞部品）である。第１始動入賞口６１Ａ又は第２始動入賞口６２Ａに球が入賞すると、主制御装置１００によって特別図柄抽選（以下、特図抽選という）等の各種の抽選処理が実行され、当該各種の抽選処理の結果が特別図柄表示装置４０Ａ；４０Ｂや演出表示装置５０Ａの表示画面５１上に反映されて表示される。第１始動入賞口６１Ａ又は第２始動入賞口６２Ａに球が入賞すると予め設定された所定の個数（例えば３個）の賞球が、払出制御装置３００の制御で動作する賞球払出装置３０１によって遊技者に対して払い出される。
【００２９】
また、第２始動入賞口６２Ａには、電動チューリップと称される開閉体６３Ａが設けられている。当該開閉体６３Ａは、ソレノイド等により構成される開閉体駆動装置６４Ｂ（図６参照）により開閉される。開閉体駆動装置６４Ｂは、主制御装置１００が備える図外の開閉体制御手段１７０により制御され、開閉体６３Ａを所定の回数及び所定の間隔で開放動作させる。
【００３０】
大入賞口６５Ａは、遊技領域１１Ａにおける第２始動入賞口６２Ａの下方に配設される。大入賞口３５Ａは、所謂大当り遊技の場合に開放するアタッカ６４Ａと称される開閉体を有している。当該アタッカ６４Ａは、ソレノイド等により構成されるアタッカ駆動装置６５Ｂにより開閉される。また、アタッカ駆動装置６５Ｂは、大当り遊技時において主制御装置１００が備える図外の特別遊技制御手段よって制御され、大入賞口６５Ａを閉塞するアタッカ６４Ａを所定の回数及び所定の間隔で開放動作させる。また、大入賞口６５Ａに球が入賞すると予め設定された所定の個数（例えば１５個）の賞球が賞球払出装置３０１によって遊技者に対して払い出される。
【００３１】
複数の一般入賞口６７Ａは、遊技領域１１Ａの左側下部に所定の間隔を空けて配設される。当該一般入賞口６７Ａに球が入賞すると予め設定された所定の個数（例えば３個）の賞球が遊技者に対して払い出される。
【００３２】
第１特別図柄表示装置４０Ａは、遊技盤３０Ａの右側下部に配設されるデジタル表示器であって、第１始動入賞口６１Ａへの遊技球の入賞を契機に、主制御装置１００により行われる特図抽選（第１特図抽選）の結果を表示する。当該第１特別図柄表示装置４０Ａは、例えば「−」と「○」の点灯表示可能な表示器であって、上述の第１特図抽選の結果を示す態様でいずれかの記号を点灯表示する。ここで、例えば第１特図抽選の結果が「外れ」である場合には「−」が停止表示され、「当り」である場合には「○」が停止表示される。
【００３３】
第２特別図柄表示装置４０Ｂは、第１特別図柄表示装置４０Ａの下方に配設されるデジタル表示器であって、第２始動入賞口６２Ａへの遊技球の入賞を契機に、主制御装置１００により行われる特図抽選（第２特図抽選）の結果を表示する。当該第２特別図柄表示装置４０Ｂは、前述の第１特別図柄表示装置４０Ａと同様に「−」と「○」の点灯表示可能な表示器であって、第２特図抽選の結果を示す態様でいずれかの記号を点灯表示する。ここで、第２特図抽選の結果が「外れ」である場合には「−」が停止表示され、「当り」である場合には「○」が停止表示される。
尚、第１特別図柄表示装置４０Ａ及び第２特別図柄表示装置４０Ｂの構成としては、７セグメント表示器や、複数のランプにより構成された表示器であってもよく、特定の数字の組み合わせや、ランプの点灯態様により抽選の結果を示すものであってもよい。
【００３４】
図６に示すように、第１特別図柄表示装置４０Ａ、第２特別図柄表示装置４０Ｂは、主制御装置１００の変動表示制御手段１３０により制御される。変動表示制御手段１３０は、第１特図抽選又は第２特図抽選の結果に応じて所定の変動時間を決定し、当該所定の変動時間だけ第１特別図柄表示装置４０Ａ、第２特別図柄表示装置４０Ｂを変動させた後に停止表示させる。ここで、第１特別図柄及び第２特別図柄の変動時間は、第１特別図柄表示装置４０Ａ又は第２特別図柄表示装置４０Ｂの「−」と「○」が交互に高速で点滅する状態であり、変動停止は、変動時間後にいずれかの記号が点灯表示される状態である。
【００３５】
普通図柄表示装置４１Ａは、球の通過ゲート６６Ａ通過を契機に、主制御装置１００により行われる普図抽選の結果を表示する表示器である。本実施形態における普通図柄表示装置４１Ａは、並設された２つのＬＥＤランプにより構成され、普図抽選の結果に基づいてＬＥＤランプを高速で点滅表示させた後に、普図抽選の結果を表示する態様で導出表示するものである。例えば、普図抽選の結果が「当り」の場合には、２つのＬＥＤランプのうちの一方のみが点灯し、「外れ」のときに他方のみが点灯するようになっている。２つのＬＥＤランプが交互に点滅している状態は、普通図柄が変動している状態であり、その点滅が停止して点灯が維持された状態は、普通図柄の変動が停止した状態である。また、２つのＬＥＤランプが交互に点滅している時間は、普通図柄の変動時間である。
【００３６】
演出表示装置５０Ａは、遊技盤３０Ａの略中央部に配設される表示装置であって、本実施形態においては液晶表示装置が採用されている。演出表示装置５０Ａは、上述の第１特別図柄又は第２特別図柄の変動時間に対応して特定の数字及びキャラクター等からなる複数の演出図柄Ｓを上下方向にスクロール表示し、第１特別図柄又は第２特別図柄の変動停止時期と略同期して演出図柄Ｓを停止表示する。ここで、第１特図抽選又は第２特図抽選の結果が「当り」である場合の演出図柄Ｓの停止態様は、３つの演出図柄Ｓが予め設定されたライン上において同一の数字又はキャラクターで停止した態様である（図５参照）。一方、「外れ」である場合の停止態様は、上記以外の態様で停止した態様である。
【００３７】
図６に示すように、演出表示装置５０Ａは、主制御装置１００から送信される演出コマンドを受信した演出制御装置２００の演出図柄制御部２１０から送信される各種のコマンドに基づいて制御される。例えば、演出図柄制御部２１０から送信される演出用のコマンドには、演出図柄Ｓの変動時間情報や停止図柄情報或いは変動時間中において表示される多様なリーチパターン情報等の演出表示に必要な各種の情報が含まれる。演出表示装置５０Ａ側では、当該コマンドに含まれる情報を解析した上で必要な画像データや動画データ等を読み出し、当該データを表示画面５１Ａ上に出力することにより遊技者に対して多様な演出表示を提供する。また演出図柄制御部２１０から送信されるコマンドとしては、大当り遊技開始時において送信される大当り遊技実行用のコマンドや、遊技中の異常を知らせるエラー表示用のコマンド等も存在する。
また、演出制御装置２００の音声制御部２２０は、演出図柄制御部２１０から送信される内部コマンドに応じて演出図柄Ｓの変動時間や演出に対応した音声データを読み出してスピーカ８を制御することにより遊技進行中において遊技を盛り上げる音声を提供する。
【００３８】
また、演出制御装置２００の光源制御部２３０は、主制御装置１００から送られてくる遊技状況データに基づいて光装飾部品１の複数のＬＥＤ５０等の光源の点灯、点滅、消灯制御、明るさ調整制御等を行う。
【００３９】
光装飾部品１は、例えば、演出表示装置５０Ａの表示画面５１Ａの外周縁部分の前方に位置するセンター飾り枠８０Ａの囲み枠部分の前面に取付けられている。例えば図５に示すように、光装飾部品１は、演出表示装置５０Ａの表示画面５１Ａの右上角部の前方に位置するセンター飾り枠８０Ａの囲み枠部分の右上側前面に取付けられている。
このように、光装飾部品１が演出表示装置５０Ａの表示画面５１Ａの外周縁部分の前方に位置するセンター飾り枠８０Ａの囲み枠部分の前面に取付けられており、光源制御部２３０が光装飾部品１のＬＥＤ５０の点灯、点滅等を制御することによる光演出と演出表示装置５０Ａの表示画面５１Ａに表示される画像演出とが協働した特異な演出が可能となる。
【００４０】
実施形態による光装飾部品１を備えた遊技機によれば、ＬＥＤ５０からの光が、光拡散板４１、色意匠板３、前側装飾板２１を通して前側装飾板２１の前方に透過するとともに光拡散板４１、色意匠板３、光透過孔２３を通して前側装飾板２１の前方に透過するように構成されたので、前側装飾板２１に光透過孔２３を設けて当該光透過孔２３を塞ぐ色意匠板３を設けるという簡単で安価な構成によって、色意匠板３及び光透過孔２３を通して前側装飾板２１の前方に透過する光による特異な光演出を実現可能とした光装飾部品１を提供できる。また、光拡散板４１、色意匠板３、前側装飾板２１を通して前側装飾板２１の前方に透過する光による光演出と、光拡散板４１、色意匠板３、光透過孔２３を通して前側装飾板２１の前方に透過する光による光演出とで、異なる光演出を遊技者に提供でき、安価でかつ光演出効果の高い遊技機を得ることができる。
また、前側装飾板２１の光透過率と色意匠板３の光透過率とが異なるので、光拡散板４１、色意匠板３、前側装飾板２１を通して前側装飾板２１の前方に透過する光による光演出と、光拡散板４１、色意匠板３、光透過孔２３を通して前側装飾板２１の前方に透過する光による光演出とに、より顕著な違いを出せ、異なる光演出の対比を表現できる光演出効果の高い光装飾部品１を備えた遊技機を得ることができる。
また、色意匠板３の後方でかつＬＥＤ５０の前方に光拡散板４１を備えたので、光の拡散効果を向上させることができ、光演出効果の高い光装飾部品１を備えた遊技機を得ることができる。
また、色意匠板３の色意匠部３２が、炎を表現するために、オレンジ色意匠部３３と赤色意匠部３４と黒色意匠部３５とが組み合わされた構成であり、光透過孔２３を裏側から塞ぐ色意匠板３の色意匠部３２は、オレンジ色意匠部３３のオレンジ色、赤色意匠部３４の赤色、黒色意匠部３５の黒色が対応するように構成されたので、ＬＥＤ５０の光が、光拡散板４１、オレンジ色、赤色、黒色で彩られた３色の色意匠部３２を透過して遊技者に見えることによって、光透過孔２３を透過する光が本物の炎に近い光のように見え、臨場感に溢れた炎を表現する光演出が可能な遊技機を得ることができる。
【００４１】
尚、上記では、光透過孔２３の形状を炎の形状に形成し、かつ、色意匠板３の色意匠部３２が、炎を表現するためのオレンジ色意匠部３３と赤色意匠部３４と黒色意匠部３５とを備えた構成としたことで、臨場感に溢れた炎を表現する光演出を可能とした光装飾部品を例示したが、光透過孔２３の形状、色意匠板３の色を組み合わせることによって臨場感に溢れたさまざまな光演出が可能となる。例えば、光透過孔２３の形状を川の形状に形成し、かつ、色意匠板３の色意匠部３２を、川の流れを表現するための水色、白色、黒色等で構成することで、臨場感に溢れた川の流れを表現する光演出を可能としたり、光透過孔２３の形状を雲の形状に形成し、かつ、色意匠板３の色意匠部３２を、雲の流れを表現するための白色、灰色、黒色等で構成することで、臨場感に溢れた雲の流れを表現する光演出を可能とした光装飾部品を得ることができる。即ち、光透過孔２３の形状を任意に決めて、かつ、色意匠板３の光透過孔２３を塞ぐ部分の色を複数色に色分けすることで、色意匠板３及び光透過孔２３を通して前側装飾板２１の前方に透過する光によって、表現したい物に近い臨場感に溢れた光演出を可能する光装飾部品１を備えた遊技機を得ることができる。
【００４２】
また、上記では、光拡散板４１の前面に設けられた並列溝模様部４６の複数の溝が光透過孔２３の孔縁に沿って延長するように構成して、色意匠板３、光透過孔２３を通して前側装飾板２１の前方に透過する光により演出される炎などが流れるような光演出を可能とした光装飾部品１を例示したが、光透過孔２３を塞ぐ色意匠板３の後方に位置される光拡散板４１の模様の形態は、表現したい物に応じて、適宜決めればよい。
【００４３】
尚、光装飾部品１は、遊技盤３０Ａの盤面３７Ａに設けられたセンター飾り枠８０Ａ以外の飾り部品に取付けられてもよいし、遊技盤３０Ａの盤面３７Ａに直接に取付けられてもよいし、遊技機枠に取付けられてもよい。例えば、一般入賞口６７Ａの前面を覆い隠すように光装飾部品１を取付けてもよい。また、遊技盤がアクリル等の視認性を有する透明遊技盤であれば、光装飾部品１が当該透明遊技盤越しに見えるように透明遊技盤の裏面に取付けて透明遊技盤の前側から当該光装飾部品１を視認できるようにしてもよい。いずれにしろ、光装飾部品１を備えることによって効果的な光を用いた光彩演出が可能な遊技機を得ることができる。
【００４４】
尚、実施形態による光装飾部品１を備えた遊技機によれば、ＬＥＤ５０からの光が、光拡散板４１、色意匠板３、前側装飾板２１を通して前側装飾板２１の前方に透過するとともに光拡散板４１、色意匠板３、光透過孔２３を通して前側装飾板２１の前方に透過するように照射される場合において、光透過孔２３の部分は色意匠板３に描かれている模様や色が光により強調されて表現され、前側装飾板２１の部分は前側装飾板２１に描かれている模様や色が光により強調されて表現される。よって、例えば、通常状態においてはＬＥＤ５０から白色やオレンジ色や黄色の光を照射し、演出表示装置５０Ａの表示画面５１Ａ上に表示する演出図柄とリンクさせて閃光演出等を行う場合にはＬＥＤ５０から赤色の光を照射することによって光装飾部品１全体を赤く染める赤色演出ができるため、前側装飾板２１及び光透過孔２３の部分を両者ともに赤色に照らす赤色閃光演出を行うことができる。このように、前側装飾板２１及び光透過孔２３の部分の色が同系色になる演出を行える。また、前側装飾板２１の部分と光透過孔２３の部分とで色が異なるような演出も行える。また、上述したような、川の流れを表現するための水色、白色、黒色等で構成された色意匠板３を備えた光装飾部品１の場合でも、後方からのＬＥＤ５０の照射の色によって複数種類の色変化演出を行える。
即ち、照射する光の色、照射タイミング等を制御することで、前側装飾板２１の部分と光透過孔２３の部分とで、異なる色による色演出、異なる色により浮かび上がる模様演出等が可能となり、１つの部品で複数パターンの演出が可能な光装飾部品１を備えた遊技機を得ることができるようになる。
【符号の説明】
【００４５】
１  光装飾部品、１Ａ  パチンコ機（遊技機）、３  色意匠板、２１  前側装飾板、
２３  光透過孔、４１  光拡散板、５０  ＬＥＤ（光源）。
【図１】
2014087419.tif 000003
【図２】
2014087419.tif 000004
【図３】
2014087419.tif 000005
【図４】
2014087419.tif 000006
【図５】
2014087419.tif 000007
【図６】
2014087419.tif 000008